(57)【特許請求の範囲】
【請求項１】
所望チャンネルの放送番組を選択受信する受信手段と、
放送番組に関する電子番組表を入手する入手手段と、
放送番組に関する嗜好情報を含む一又は二以上の番組情報を設定登録する登録手段と、
前記入手手段により入手された電子番組表から、前記登録手段により登録されている前記番組情報と同じ番組情報を有する放送番組を検出する検出手段と、
既に記録されたことのある放送番組を履歴として保存する履歴保存手段と、
前記検出手段により検出された放送番組と同じ放送番組が、前記履歴保存手段に保存されているかどうか比較判定する比較判定手段と、
前記比較判定手段により前記履歴保存手段に保存されていない放送番組と比較判定された、前記検出手段により検出された放送番組を記録媒体に記録する記録手段と
を有することを特徴とする記録装置。
【請求項２】
前記履歴保存手段は、予め設定した期間又は予め設定した保存放送番組数を越えた時点で、履歴の古いものから順に保存放送番組を削除することを特徴とする請求項１記載の記録装置。
【請求項３】
前記比較判定手段により前記履歴保存手段に保存されていない放送番組であるとして比較判定された、前記検出手段により検出された放送番組を記録予約リストとして作成して表示するリスト作成及び表示手段と、前記記録予約リストの中の任意の放送番組を選択する第１の選択入力手段とを更に有し、前記記録手段は、前記第１の選択入力手段により選択入力された放送番組を記録媒体に記録することを特徴とする請求項１又は２記載の記録装置。
【請求項４】
前記検出手段により検出された複数の放送番組の放送時間が重複するときは、それら複数の放送番組が前記履歴保存手段に保存されている放送番組であるか否かに関係なく、前記複数の放送番組を表示する重複番組表示手段と、前記重複番組表示手段により表示された前記複数の放送番組のうちのいずれか一の放送番組を選択入力する第２の選択入力手段とを更に有し、前記記録手段は前記第２の選択入力手段により選択入力された放送番組を記録媒体に記録することを特徴とする請求項１又は２記載の記録装置。
【請求項５】
所望チャンネルの放送番組を選択受信する受信手段と、
放送番組に関する電子番組表を入手する入手手段と、
放送番組に関する嗜好情報を含む一又は二以上の番組情報を、重み付けによる優先度を付与して設定登録する登録手段と、
前記入手手段により入手された電子番組表から、前記登録手段により登録されている前記番組情報と同じ番組情報を有する放送番組を、その番組情報に対応した優先度で検出する検出手段と、
既に記録されたことのある放送番組を履歴として保存する履歴保存手段と、
前記検出手段により検出された放送番組と同じ放送番組が、前記履歴保存手段に保存されているかどうか比較判定する比較判定手段と、
前記検出手段により検出された放送番組を記録媒体に記録する際に、前記検出手段により検出された複数の放送番組の放送時間が重複するときは、前記比較判定手段により前記履歴保存手段に保存されていると判定された放送番組の優先度を最も低くし、かつ、前記検出手段で検出された放送番組の優先度のうち、最も高い優先度の放送番組を自動選択して前記記録媒体に記録する記録手段と
を有することを特徴とする記録装置。
【請求項６】
所望チャンネルの放送番組を選択受信する受信手段と、
放送番組に関する電子番組表を入手する入手手段と、
前記入手手段により入手された電子番組表から、視聴予約がされた放送番組を検出する検出手段と、
前記検出手段により検出された視聴予約がされた放送番組を履歴として保存する履歴保存手段と、
前記検出手段により検出された視聴予約がされた放送番組と同じ放送番組が、予約録画のリストにあるかどうか比較判定する比較判定手段と、
前記比較判定手段により前記視聴予約がされた放送番組と同じ放送番組が、予約録画のリストにある比較判定されたときは、前記予約録画リストから前記視聴予約がされた放送番組を削除する削除手段と
を有することを特徴とする記録装置。
【請求項７】
前記入手手段は、前記電子番組表を、受信するテレビジョン放送信号の垂直帰線消去期間、又はインターネット上のサイト、又はデジタル放送のデータ放送から入手することを特徴とする請求項１乃至６のうちいずれか一項記載の記録装置。
【請求項８】
所望チャンネルの放送番組を選択受信する受信手段と、
放送番組に関する電子番組表を入手する入手手段と、
放送番組に関する嗜好情報を含む一又は二以上の番組情報を設定登録する登録手段と、
前記入手手段により入手された電子番組表から、前記登録手段により登録されている前記番組情報と同じ番組情報を有する放送番組を検出する検出手段と、
所定の放送番組を履歴として保存する履歴保存手段と、
前記検出手段により検出された放送番組と同じ放送番組が、前記履歴保存手段に保存されているかどうか比較判定する比較判定手段と、
前記比較判定手段により前記履歴保存手段に保存されていない放送番組と比較判定された、前記検出手段により検出された放送番組を前記記録媒体に記録する記録手段と、
前記記録媒体に記録されている放送番組を再生すると共に、再生した放送番組を前記履歴保存手段に前記所定の放送番組として保存する再生手段と
を有することを特徴とする記録再生装置。
【発明の詳細な説明】
【０００１】
【発明の属する技術分野】
本発明は記録装置及び記録再生装置に係り、特に電子番組表（ＥＰＧ）を入手する機能と、所望チャンネルのテレビジョン放送番組を記録する機能を備える記録装置及び記録再生装置に関する。
【０００２】
【従来の技術】
内蔵のハードディスクにディジタル形式でテレビジョン放送番組を録画する、公知のパーソナル・ビデオ・レコーダ（ＰＶＲ）では、ユーザの嗜好に合ったジャンルなどを登録しておくと、その登録に従って、ユーザの嗜好に合った各チャンネルの同一ジャンルの放送番組を自動的に録画する、所謂お好み録画、又はエージェント機能を有している。
【０００３】
【発明が解決しようとする課題】
しかるに、上記のＰＶＲのような従来の記録装置では、登録された嗜好情報に合った番組全てが対象となっており、過去に既に視聴した番組であっても登録された嗜好情報に合った番組であれば記録されるため、無駄な記録が行われてしまうという問題がある。
【０００４】
また、再放送番組の場合は、登録された嗜好情報に合った番組であれば記録されてしまうが、単に再放送を記録しないようにするだけならば、パケットヘッダなどに再放送用の識別コード（又はフラグ）を挿入して放送し、受信側でこの再放送用の識別コード（又はフラグ）を検出したときには、その再放送番組の記録を禁止するようにした記録装置が従来より知られている（特開平９−４６６４８号公報）。しかし、この従来の記録装置では、ユーザがまだ視聴したことのない番組であっても、再放送番組である場合には記録が禁止されてしまうという問題がある。また、放送番組が映画の場合は、同じ映画が別の放送局で放送されたり、例えば２年後に同じ放送局で放送されることがあるが、これらは再放送ではないので、上記の従来の記録装置では、放送番組が記録されてしまい、記録媒体に無駄な記録が行われてしまう。
【０００５】
また、嗜好情報に重み付けをしてあるような場合には、重複した番組は優先度の高いものが選択されて記録される。しかし、優先度が高いと判断された番組でも、過去に視聴した番組より、優先度が低いと判断されたが視聴したことが無い番組の方が、実際には優先度が高いはずであるが、上記の従来の記録装置では、このような実際の優先度に対応できない。
【０００６】
本発明は以上の点に鑑みなされたもので、過去に視聴したことの無い所望の番組を記録し得、もって記録の無駄や矛盾をなくすようにした記録装置及び記録再生装置を提供することを目的とする。
【０００７】
【課題を解決するための手段】
上記の目的を達成するため、本発明の第１の記録装置は、所望チャンネルの放送番組を選択受信する受信手段と、放送番組に関する電子番組表を入手する入手手段と、放送番組に関する嗜好情報を含む一又は二以上の番組情報を設定登録する登録手段と、入手手段により入手された電子番組表から、登録手段により登録されている番組情報と同じ番組情報を有する放送番組を検出する検出手段と、既に記録されたことのある放送番組を履歴として保存する履歴保存手段と、検出手段により検出された放送番組と同じ放送番組が、履歴保存手段に保存されているかどうか比較判定する比較判定手段と、比較判定手段により履歴保存手段に保存されていない放送番組と比較判定された、検出手段により検出された放送番組を記録媒体に記録する記録手段とを有する構成としたものである。
【０００８】
本発明では、電子番組表から検出した、登録されている番組情報と同じ番組情報を有する放送番組が、既に記録されたことのある放送番組を履歴として保存している履歴保存手段に保存されていないときに、その放送番組を記録媒体に記録するようにしたため、電子番組表から検出された放送番組が履歴保存手段に保存されているときには、その放送番組の記録媒体への記録を禁止することができる。
【０００９】
また、上記の目的を達成するため、本発明の第２の記録装置は、第１の記録装置の履歴保存手段を、予め設定した期間又は予め設定した保存放送番組数を越えた時点で、履歴の古いものから順に保存放送番組を削除する構成としたものである。この発明では、履歴保存手段の記憶容量を設定値以下にすることができる。
【００１０】
また、上記の目的を達成するため、本発明の第３の記録装置は、比較判定手段により履歴保存手段に保存されていない放送番組と比較判定された、検出手段により検出された放送番組を記録予約リストとして作成して表示するリスト作成及び表示手段と、記録予約リストの中の任意の放送番組を選択する第１の選択入力手段とを更に有し、記録手段は、第１の選択入力手段により選択入力された放送番組を記録媒体に記録することを特徴とする。この発明では、記録予約リストとして表示された放送番組の中から選択入力された放送番組だけを記録媒体に記録することができる。
【００１１】
また、上記の目的を達成するため、本発明の第４の記録装置は、検出手段により検出された複数の放送番組の放送時間が重複するときは、それら複数の放送番組が履歴保存手段に保存されている放送番組であるか否かに関係なく、複数の放送番組を表示する重複番組表示手段と、重複番組表示手段により表示された複数の放送番組のうちのいずれか一の放送番組を選択入力する第２の選択入力手段とを更に有し、記録手段は第２の選択入力手段により選択入力された放送番組を記録媒体に記録することを特徴とする。この発明では、登録番組情報と同じ番組情報を有する、放送時間が重複する複数の放送番組を表示して、その中から記録する放送番組を選択入力できるようにしたため、使用者の意図により沿った記録ができる。
【００１２】
また、上記の目的を達成するため、本発明の第５の記録装置は、所望チャンネルの放送番組を選択受信する受信手段と、放送番組に関する電子番組表を入手する入手手段と、放送番組に関する嗜好情報を含む一又は二以上の番組情報を、重み付けによる優先度を付与して設定登録する登録手段と、入手手段により入手された電子番組表から、登録手段により登録されている番組情報と同じ番組情報を有する放送番組を、その番組情報に対応した優先度で検出する検出手段と、既に記録されたことのある放送番組を履歴として保存する履歴保存手段と、検出手段により検出された放送番組と同じ放送番組が、履歴保存手段に保存されているかどうか比較判定する比較判定手段と、検出手段により検出された放送番組を記録媒体に記録する際に、検出手段により検出された複数の放送番組の放送時間が重複するときは、比較判定手段により履歴保存手段に保存されていると判定された放送番組の優先度を最も低くし、かつ、検出手段で検出された放送番組の優先度のうち、最も高い優先度の放送番組を自動選択して記録媒体に記録する記録手段とを有する構成としたものである。
【００１３】
この発明では、電子番組表から検出した、登録番組情報と同じ番組情報を有する放送番組に登録情報に応じた優先度を付与すると共に、履歴保存手段に保存されている放送番組に最も低い優先度を付与し、検出された放送時間が重複する複数の放送番組のうち、最も高い優先度の放送番組を自動選択して記録媒体に記録するようにしたため、優先度に応じた放送番組の記録ができると共に、登録情報の優先度が高くても履歴保存手段に保存されている放送番組は最も優先度が低くなるようにできる。
【００１４】
また、上記の目的を達成するため、本発明の記録再生装置は、本発明の第１の記録装置の履歴保存手段を所定の放送番組を履歴として保存する構成とし、記録媒体に記録されている放送番組を再生すると共に、再生した放送番組を履歴保存手段に所定の放送番組として保存する再生手段を有する構成としたものである。この発明では、電子番組表から検出した、登録番組情報と同じ番組情報を有する放送番組を記録媒体に記録し、その記録媒体から放送番組を再生した段階で履歴として保存するようにしたため、記録媒体に記録してあるがまだ視聴していない放送番組については履歴として保存されないようにできる。
【００１５】
【発明の実施の形態】
次に、本発明の実施の形態について図面と共に説明する。図１は本発明になる記録装置の一実施の形態のブロック図を示す。本実施の形態の記録装置１０は、テレビジョン放送信号を選択受信する受信機１１と、受信機１１から出力される所望チャンネルの受信放送番組を記録媒体に記録する記録部１２と、受信機１１から出力される受信放送信号中の垂直帰線消去期間（ＶＢＩ）中に多重されている電子番組表（ＥＰＧ）データより番組情報を取得する番組情報取得部１３と、受信機１１及び記録部１２の動作を制御する制御部１４と、ユーザから入力された指示信号を制御部１４に供給するユーザインタフェース（ＩＦ）１５と、表示部１６とから構成されている。制御部１４は記録予約リスト及び履歴保存メモリを有している。
【００１６】
ところで、テレビ番組は通常、放送局のオリジナルである。しかし、映画などは放送局に依存する場合は少なく、後に別の放送局で放映される場合もある。また、ＮＨＫ等のようにいくつものチャンネルを保有している放送局では、ＢＳと地上波で同じ番組を、時間を違えて放送する場合がある。本実施の形態の記録装置１０は、このような番組を重複せずに記録するようにしたものである。
【００１７】
次に、本実施の形態の動作について、図２のフローチャートを併せ参照して説明する。まず、ユーザはユーザＩＦ１５を介して希望するジャンル情報と、検出した番組が重複した場合の優先度、タイトル、番組時間、初めから除外する放送局、それ以外の放送局などの登録嗜好情報と保存する履歴の限度を、制御部１４に予め設定する。なお、設定する登録嗜好情報は一つに限らず、複数を設定することも可能である。また、保存する履歴の限度は任意に設定でき、例えば過去４年若しくは過去１００番組などと設定できる。期限切れになった場合、若しくは設定番組数を越えた場合には、古い方の情報が履歴から消去あるいは上書きなどの手段により削除される。
【００１８】
上記の設定がされた記録装置１０は、受信機１１で例えばテレビジョン放送信号を受信し、受信信号を記録部１２に供給すると共に番組情報取得部１３に供給する。番組情報取得部１３は、受信信号中の例えば垂直帰線消去期間（ＶＢＩ）に多重されているＥＰＧデータを番組情報として抽出して、制御部１４に供給する。ＥＰＧデータには、各チャンネルで放送される番組のタイトル、ジャンル、放送局、放送時刻（番組時間）の他、出演者、番組の内容などの情報が含まれている。
【００１９】
制御部１４は番組情報取得部１３からのＥＰＧデータに基づき、全視聴可能チャンネルの放送番組のタイトル、ジャンル、放送局、番組時間などのうち、予めユーザにより設定登録された一又は二以上の登録嗜好情報と同じ情報の放送番組を検出し（図２のステップＳ１）、検出できたかどうか判定し（同、ステップＳ２）、検出できないときにはこの処理を終了し、検出できた場合は、検出した放送番組が、履歴保存メモリに保存されている、消去したか否かに関係なく、既に記録したことのある放送番組と同じものがあるかどうか比較判定する（図２のステップＳ３）。
【００２０】
このときの比較判定により、検出した放送番組が履歴保存メモリにあると判定する条件は、以下の通りである。
▲１▼ジャンル、タイトル、放送局（チャンネルが違っていても良い）が同じ
▲２▼放送局が違うが、映画でタイトルが同じ
【００２１】
この条件で登録嗜好情報に基づき検出した放送番組と同じものが履歴保存メモリに保存されていないと判定されたときには、記録予約リストに追加登録し（図２のステップＳ４）、保存されていると判定されたときには、最初のステップＳ１に戻り、嗜好情報による次の番組の検出を行う。
【００２２】
このようにして、記録予約リストに登録された放送番組は、表示部１６に嗜好情報による推奨リストとして表示され、ユーザがその表示推奨リストから実際に記録する放送番組を選択する。選択された放送番組の放送時間になると、制御部１４の制御の下に受信機１１で選択受信され、その受信信号は記録部１２に供給され、ここで記録に適した所定の信号形態に変換された後、記録媒体に記録される。また、この時、制御部１４は、記録した放送番組を履歴保存メモリに履歴として保存する。なお、記録部１２が記録する記録媒体は、ハードディスク（ＨＤＤ）、ＤＶＤ等のリライタブルディスク、半導体メモリ、光ディスク、磁気テープ等のいずれでもよい。
【００２３】
このように、本実施の形態によれば、記録装置１０が記録部１２により記録媒体に記録された放送番組と同じ放送番組は、履歴の限度の範囲内で記録しないようにしたため、記録媒体への無駄な記録を防止でき、記録容量に限りのある記録媒体の記録容量を最大限に有効利用することができる。また、再放送の場合には、本放送時に記録されていない放送番組であれば、再放送であっても記録することができる。
【００２４】
なお、記録媒体がＨＤＤの場合は、記録容量一杯に記録された後は、最初から上書き記録される。また、この実施の形態では、履歴は制御部１４内の履歴保存メモリに保存されるため、記録媒体が磁気テープのような交換可能な記録媒体であり、交換前の記録媒体に既に記録された放送番組は、交換後の記録媒体に記録されていなくても、履歴の限度の範囲内で記録されず、重複記録を防止できる。
【００２５】
なお、本発明は上記の実施の形態に限定されるものではなく、その他種々の変形例も包含するものである。例えば、上記の実施の形態では、既に記録した放送番組は履歴保存メモリに履歴として保存する記録装置について説明したが、記録媒体に記録した放送番組を再生した段階で、その放送番組を履歴保存メモリに履歴として保存し、履歴の限度の範囲内で履歴保存メモリに保存されている放送番組の記録を禁止するようにした記録再生装置を構成することもできる。
【００２６】
また、嗜好情報に重み付けによる優先度を付与すると共に、履歴保存メモリに履歴として保存されている放送番組は上記の重み付けによる優先度を最も低くし、検出された放送番組の時間が重複していた場合は、上記の優先度に従って自動選択するようにしてもよい。この場合は、履歴保存メモリに保存されている放送番組は、検出された放送番組と放送時間が重複しない場合に限り記録されるが、その優先度は最も低いので、無駄な記録を従来に比べて減少できる。また、既に記録されている優先度が高いと判断された放送番組と、まだ記録されたことの無い優先度が低いと判断された放送番組の放送時間が重複した場合には、優先度が低くてもまだ記録されていない方の放送番組を記録することができる。
【００２７】
また、検出された複数の放送番組の放送時間が重複している場合、履歴保存メモリに保存されている放送番組であるか否かに関係なく、表示部の画面にそれら放送時間が重複している複数の放送番組を明示的に表示し、使用者に記録又は再生する放送番組を選択させるようにしてもよい。また、図２において、記録予約リストを作成するのではなく、履歴に一致した放送番組を電子番組表から検出した場合には、マークなどを付けて検出リストを作成して表示するようにしてもよい。更に、ＥＰＧデータの取得は、放送波のＶＢＩに限らず、インターネット上のＷｅｂサイトやデジタル放送のデータ放送などから入手することもできる。
【００２８】
また、更に、ＥＰＧでは視聴の予約ができるようになっているため、視聴の予約をした段階でその放送番組を履歴保存メモリに履歴として保存し、かつ、視聴の予約をした放送番組が予約録画されていた場合には、その予約録画のリストから外すようにしてもよい。この場合は、視聴の予約がされた放送番組の記録媒体への記録は行われないことになる。
【００２９】
【発明の効果】
以上説明したように、本発明によれば、電子番組表から検出した、登録されている番組情報と同じ番組情報を有する放送番組が、既に記録されたことのある放送番組を履歴として保存している履歴保存手段に保存されているときには、その放送番組の記録媒体への記録を禁止するようにしたため、無駄な記録を防止することができると共に、再放送の場合には、本放送時に記録されていない放送番組であれば、履歴として保存されていないので、再放送であっても記録することができる。
【００３０】
また、本発明によれば、履歴保存手段を、予め設定した期間又は予め設定した保存放送番組数を越えた時点で、履歴の古いものから順に保存放送番組を削除する構成とすることにより、履歴に制限を設け、履歴保存手段の記憶容量を設定値以下にすることができるため、履歴保存手段として安価な構成の記憶装置を使用できる。
【００３１】
また、本発明によれば、電子番組表から検出した、登録されている番組情報と同じ番組情報を有する放送番組を記録予約リストとして表示し、その表示された放送番組の中から選択入力された放送番組だけを記録媒体に記録するようにしたため、無駄な記録を防止できると共に、使用者の意図に応じた記録ができる。
【００３２】
また、本発明によれば、登録番組情報と同じ番組情報を有する、放送時間が重複する複数の放送番組を表示して、その中から記録する放送番組を選択入力するようにしたため、無駄な記録を防止できると共に、使用者の意図により沿った記録ができる。
【００３３】
また、本発明によれば、電子番組表から検出した、登録番組情報と同じ番組情報を有する放送番組に登録情報に応じた優先度を付与すると共に、履歴保存手段に保存されている放送番組に最も低い優先度を付与し、検出された放送時間が重複する複数の放送番組のうち、最も高い優先度の放送番組を自動選択して記録媒体に記録することにより、登録情報の優先度が高くても履歴保存手段に保存されている放送番組は最も優先度が低くなるようにしたため、既に記録されている優先度が高いと判断された放送番組と、まだ記録されたことの無い優先度が低いと判断された放送番組の放送時間が重複した場合には、優先度が低くてもまだ記録されていない方の放送番組を記録することができる。
【００３４】
更に、本発明によれば、電子番組表から検出した、登録番組情報と同じ番組情報を有する放送番組を記録媒体に記録し、その記録媒体から放送番組を再生した段階で履歴として保存することにより、記録媒体に記録してあるがまだ視聴していない放送番組については履歴として保存されないようにしたため、より実際に即した放送番組の無駄な記録を防止することができる。
【図面の簡単な説明】
【図１】本発明の一実施の形態のブロック図である。
【図２】図１の動作説明用フローチャートである。
【符号の説明】
１０  記録装置
１１  受信機
１２  記録部
１３  番組情報取得部
１４  制御部
１５  ユーザインタフェース（ＩＦ）
１６  表示部
【図１】
0003747847.tif 000002
【図２】
0003747847.tif 000003